(57)【要約】      （修正有）【課題】着用時において、マスク本体の顔面へのフィット性を高めつつ、着用者の顔面における違和感を抑制し易いマスクを提供する。【解決手段】マスク１は、縦方向Ｌ及び横方向Ｃを有するマスク本体３と、耳掛け部５とを備え、マスク本体は、肌対向面と非肌対向面Ｓ２とを備え、プリーツ構造を有し、マスク本体は、両側縁部３ｃのそれぞれにおいて、切欠き部１５が形成された切欠き部形成領域１７と、切欠き部非形成領域１９とに区画され、マスク本体は、少なくとも切欠き部形成領域において、切欠き部を覆うサイドシート１３と、切欠き部非形成領域において、縦方向に沿って延在するエンボス部２９とを有し、切欠き部形成領域の剛性は、切欠き部非形成領域の剛性よりも低い。【選択図】図１
0003212966.tif 000002
【実用新案登録請求の範囲】
【請求項１】
縦方向及び横方向を有するマスク本体と、前記縦方向に沿って延在する前記マスク本体の両側縁部のそれぞれから延出する耳掛け部とを備えるマスクであって、
前記マスク本体は、肌対向面とその反対側に位置する非肌対向面とを備え、プリーツ構造を有し、
前記マスク本体は、前記両側縁部のそれぞれにおいて、前記横方向の中央部に向かって凹となる切欠き部が形成された、切欠き部形成領域と、切欠き部非形成領域とに区画され、
前記マスク本体は、少なくとも前記切欠き部形成領域において、前記切欠き部を前記非肌対向面側及び肌対向面側から覆うサイドシートと、前記切欠き部非形成領域において、前記縦方向に沿って延在するエンボス部とを有し、
前記切欠き部形成領域の剛性は、前記切欠き部非形成領域の剛性よりも低い、
前記マスク。
【請求項２】
前記マスク本体は、前記肌対向面を形成するセルロース布帛と、前記非肌対向面を形成する合成繊維布帛とを有する、請求項１に記載のマスク。
【請求項３】
前記セルロース布帛は、織物であり、
前記マスク本体は、前記両側縁部のそれぞれにおける前記切欠き部において、前記合成繊維布帛が溶断されている、請求項２に記載のマスク。
【請求項４】
前記合成繊維布帛は、前記マスク本体の前記横方向に延びる下端縁において前記肌対向面側に折り返された第１折り返し部を有し、
前記第１折り返し部が、前記セルロース布帛を覆っている、請求項２又は３に記載のマスク。
【請求項５】
前記セルロース布帛は、前記下端縁において前記肌対向面側に折り返された第２折り返し部を有し、
前記第１折り返し部の前記縦方向の長さが、前記第２折り返し部の前記縦方向の長さよりも長い、請求項４に記載のマスク。
【請求項６】
前記マスク本体は、前記両側縁部のそれぞれの前記切欠き部形成領域において、前記エンボス部を有しない、請求項１〜５のいずれか一項に記載のマスク。
【請求項７】
前記マスク本体は、前記縦方向の中央部において、前記横方向の少なくとも一部に延在する補助エンボス部を有する、請求項１〜６のいずれか一項に記載のマスク。
【考案の詳細な説明】
【技術分野】
【０００１】
本開示は、マスクに関する。
【背景技術】
【０００２】
近年、花粉用マスクや衛生マスクなど、種々の形状のマスクが知られている。
例えば、下記特許文献１に開示された発明は、マスク本体と、着用者の両耳または頭部に掛けることによって前記マスク本体を装着者の顔面の所定の位置に保持する２本の紐と、を含み、前記マスク本体の両側には、前記マスク本体の中央部に向かって１または複数の切込みが形成されているマスクである。
【０００３】
下記特許文献１に開示されたマスクは、前記マスク本体の中央部に向かって１または複数の切込みが形成されることにより、着用者の鼻周りや耳側からの空気漏れを効果的に防止できるとされている。
【先行技術文献】
【特許文献】
【０００４】
【特許文献１】特開２０１２−１６１３７０号公報
【考案の概要】
【考案が解決しようとする課題】
【０００５】
上記特許文献１に開示される従来のマスクは、着用時において、前記マスク本体部が、着用者の非肌対向面側に隆起すると共に、前記マスク本体の両側が、着用者の顔面の形状に沿って湾曲する。上記文献１に開示される従来のマスクは、前記マスク本体の中央部に向かって１または複数の切込みが形成されることにより、着用時において、当該切込みが前記両側の変形誘導の起点となり易いので、前記両側と着用者の顔面との密着性を高め、マスク本体の顔面へのフィット性を高めることができる。一方で、着用時においては、前記両側に設けられた当該切欠きが着用者の顔面と密着し易いがゆえに、着用者が、その顔面において痒みや痛みなどの違和感を覚えやすかった。
そこで、本開示は、着用時において、マスク本体の顔面へのフィット性を高めつつ、着用者の顔面における違和感を抑制し易いマスクを提供することを目的とする。
【課題を解決するための手段】
【０００６】
そこで、本開示に係るマスクは、
縦方向及び横方向を有するマスク本体と、前記縦方向に沿って延在する前記マスク本体の両側縁部のそれぞれから延出する耳掛け部とを備えるマスクであって、
前記マスク本体は、肌対向面とその反対側に位置する非肌対向面とを備え、プリーツ構造を有し、
前記マスク本体は、前記両側縁部のそれぞれにおいて、前記横方向の中央部に向かって凹となる切欠き部が形成された、切欠き部形成領域と、切欠き部非形成領域とに区画され、
前記マスク本体は、少なくとも前記切欠き部形成領域において、前記切欠き部を前記非肌対向面側及び肌対向面側から覆うサイドシートと、前記切欠き部非形成領域において、前記縦方向に沿って延在するエンボス部とを有し、
前記切欠き部形成領域の剛性は、前記切欠き部非形成領域の剛性よりも低い、ことを特徴とする。
【考案の効果】
【０００７】
本開示によれば、着用時において、マスク本体の顔面へのフィット性を高めつつ、着用者の顔面における違和感を抑制し易いマスクを提供することができる。
【図面の簡単な説明】
【０００８】
【図１】図１は、本開示の実施形態に係るマスク１を非肌対向面Ｓ２側から見た平面図である。
【図２】図２は、本開示の実施形態に係るマスク１を肌対向面Ｓ１側から見た平面図である。
【図３】図３は、図１のＩＩＩ−ＩＩＩ線に沿った端面図である。
【図４】図４は、本開示の実施形態に係るマスク１の着用状態を示す模式図である。
【考案を実施するための形態】
【０００９】
［態様１］
縦方向及び横方向を有するマスク本体と、前記縦方向に沿って延在する前記マスク本体の両側縁部のそれぞれから延出する耳掛け部とを備えるマスクであって、
前記マスク本体は、肌対向面とその反対側に位置する非肌対向面とを備え、プリーツ構造を有し、
前記マスク本体は、前記両側縁部のそれぞれにおいて、前記横方向の中央部に向かって凹となる切欠き部が形成された、切欠き部形成領域と、切欠き部非形成領域とに区画され、
前記マスク本体は、少なくとも前記切欠き部形成領域において、前記切欠き部を前記非肌対向面側及び肌対向面側から覆うサイドシートと、前記切欠き部非形成領域において、前記縦方向に沿って延在するエンボス部とを有し、
前記切欠き部形成領域の剛性は、前記切欠き部非形成領域の剛性よりも低い、
前記マスク。
【００１０】
本開示のマスクは、前記プリーツ構造及び前記構成を有するエンボス部により、着用時において、前記マスク本体の立体構造の保形性を維持し易いと共に、前記切欠き部を備えることにより、当該切欠き部が変形誘導の起点となるので、着用時において、マスク本体の顔面へのフィット性を高め易い。
また、本開示のマスクは、前記マスク本体が、少なくとも前記両側縁部のそれぞれの前記切欠き部形成領域において、前記切欠き部を前記非肌対向面側及び肌対向面側から覆う布帛からなるサイドシートを備えるので、切欠き部が着用者の顔面に直接触れることを抑制し易いと共に、前記切欠き部形成領域の剛性は、前記切欠き部非形成領域の剛性よりも低く構成されているので、当該切欠き部形成領域が着用者の顔面に触れても、着用者の顔面における違和感を抑制し易い。
以上より、本開示のマスクは、着用時において、マスク本体の顔面へのフィット性を高めつつ、着用者の顔面における違和感を抑制し易い。
【００１１】
［態様２］
前記マスク本体は、前記肌対向面を形成するセルロース布帛と、前記非肌対向面を形成する合成繊維布帛とを有する、態様１に記載のマスク。
【００１２】
前記マスク本体は、前記肌対向面を形成するセルロース布帛を有することによりマスクの吸湿性を高めつつ、前記非肌対向面を形成する合成繊維布帛と前記セルロース布帛との２層構造をなしているので、マスクの強度を確保し易く、前記マスク本体の立体構造の保形性を維持し易く、マスク本体の顔面へのフィット性をより確実に確保し易い。
【００１３】
［態様３］
前記セルロース布帛は、織物であり、
前記マスク本体は、前記両側縁部のそれぞれにおける前記切欠き部において、前記合成繊維布帛が溶断されている、態様２に記載のマスク。
【００１４】
前記セルロース布帛は、織物であるので吸湿性を維持しつつ蒸れにくい。さらに、前記マスク本体は、前記両側縁部のそれぞれにおける前記切欠き部において、前記合成繊維布帛が溶断されているので、当該溶断部分において前記合成繊維布帛と前記セルロース布帛とが溶着し、両布帛の位置ずれを抑制し易いと共にマスクの強度をより確実に確保し易く、前記マスク本体の立体構造の保形性を維持し易いので、マスク本体の顔面へのフィット性をより確実に確保し易い。
【００１５】
［態様４］
前記合成繊維布帛は、前記マスク本体の前記横方向に延びる下端縁において前記肌対向面側に折り返された第１折り返し部を有し、
前記第１折り返し部が、前記セルロース布帛を覆っている、態様２又は３に記載のマスク。
【００１６】
上記下端縁部近傍において、前記セルロース布帛が前記合成繊維布帛に覆われているので、上記下端縁部近傍において、前記セルロース布帛が着用者の顔面に直接接触し難く、本開示のマスクは、着用者の顔面における違和感を抑制し易い。
【００１７】
［態様５］
前記セルロース布帛は、前記下端縁において前記肌対向面側に折り返された第２折り返し部を有し、
前記第１折り返し部の前記縦方向の長さが、前記第２折り返し部の前記縦方向の長さよりも長い、態様４に記載のマスク。
【００１８】
上記下端縁部近傍における剛性が増すのでマスク本体の立体構造の保形性が高まり、本開示のマスクは、マスク本体の顔面へのフィット性をより確実に確保し易い。
【００１９】
［態様６］
前記マスク本体は、前記両側縁部のそれぞれの前記切欠き部形成領域において、前記エンボス部を有しない、態様１〜５のいずれかに記載のマスク。
【００２０】
前記切欠き部形成領域が着用者の顔面に触れても、当該部分がエンボス部を有しないので、本開示のマスクは、着用者の顔面に刺激を与えにくく、着用者の顔面における違和感を抑制し易い。
【００２１】
［態様７］
前記マスク本体は、前記幅方向の中央部において、前記横方向の少なくとも一部に延在する補助エンボス部を有する、態様１〜６のいずれかに記載のマスク。
【００２２】
前記補助エンボス部により前記マスク本体の立体構造の保形性をより一層維持し易いので、本開示のマスクは、マスク本体の顔面へのフィット性をより確実に確保し易い。
【００２３】
以下、本開示のマスクの好適な実施形態について、図面を参照しながら詳細に説明する。なお、本開示においては、特に断りのない限り、「水平面上に置いた対象物（例えば、マスク等）を、垂直方向の上方側から対象物の厚さ方向に見ること」を、単に「平面視」といい、さらに、当該平面視による図を「平面図」という。
【００２４】
本開示において用いる各種方向等については、特に断りのない限り、以下のとおりである。
【００２５】
本明細書において、「縦方向」は「平面視における矩形状の対象物の上下の方向」を指し、「横方向」は「平面視における矩形状の対象物の左右の方向」を指し、「厚さ方向」は「水平面上に置いた対象物に対して垂直方向」を指す。これらの縦方向、横方向及び厚さ方向は、それぞれ互いに直交する関係にある。
また、「平面方向」とは、対象物の縦方向及び横方向からなる平面が延在する方向を指すものとする。
【００２６】
また、本明細書では、特に断りのない限り、対象物（例えば、マスク等）の厚さ方向において、「対象物の着用時に、着用者の肌面に対して相対的に近位側」を「肌対向面側」といい、「対象物の着用時に、着用者の肌面に対して相対的に遠位側」を「非肌対向面側」という。なお、本明細書においては、対象物を構成する各種部材（例えば、マスク本体、セルロース布帛、合成繊維布帛等）の「肌対向面側の表面」及び「非肌対向面側の表面」を、それぞれ単に「肌対向面」及び「非肌対向面」という。
【００２７】
［実施形態］
図１は、本開示の実施形態に係るマスク１を非肌対向面Ｓ２側から見た平面図である。図２は、本開示の実施形態に係るマスク１を肌対向面Ｓ１側から見た平面図である。図３は、図１のＩＩＩ−ＩＩＩ線に沿った端面図である。図４は、本開示の実施形態に係るマスク１の着用状態を示す模式図である。
【００２８】
図１〜３に示すように、本実施形態に係るマスク１は、マスク本体３と、マスク本体３の両側縁部３ｃ、３ｃのそれぞれから延出する耳掛け部５、５とを備える。着用者がマスク１を着用する際には、マスク本体３を着用者の顔面に対向するようにあてがい、着用者の両耳のそれぞれに耳掛け部５を掛けて装着される。
【００２９】
［マスク本体］
図１及び２に示すように、マスク本体３は、縦方向（Ｌ）と横方向（Ｃ）とを有し、着用前（未使用）の状態において、平面視にて横方向（Ｃ）に長尺な矩形形状を有している。また、マスク本体３は、肌対向面Ｓ１と、肌対向面Ｓ１とは反対側に位置する非肌対向面Ｓ２とを備える。
【００３０】
本実施形態において、マスク本体３を構成する基材シート７は、肌対向面Ｓ１を形成するセルロース布帛９と非肌対向面Ｓ２を形成する合成繊維布帛１１との２層構造を有する。
本開示におけるセルロース布帛は、例えば打ち込み本数８０〜１２０本のガーゼ、木綿布、等セルロース系繊維からなる織物、編物又は不織布からなるシート材料のうち、通気性、吸湿性や肌触りの良好な材料を適宜選択して形成することができる。
また、本開示における合成繊維布帛は、例えば坪量１０〜４０ｇ／ｍ２のメルトブローン不織布、スパンボンド不織布、ＳＭＳ不織布及びエアスルー不織布等の各種公知の合成繊維不織布シートのうち、通気性の良好な材料を適宜選択して形成することができる。なお、本開示における合成繊維布帛は、織物や編物からなるシート材料であってもよいが、合成繊維布帛の上端縁、下端縁のそれぞれが着用者の顔面に刺激を与えにくい観点から、不織布からなるシート材料であることが好ましい。
また、当該不織布シートを構成する合成繊維としては、ポリエチレン（ＰＥ）繊維、ポリプロピレン（ＰＰ）繊維等のポリオレフィン系繊維、ポリエステル系繊維、ナイロンなどのポリアミド系繊維等が挙げられる。後述するように、マスク本体を構成する基材シートは、好ましくはエンボス処理が行われる観点から、前記合成繊維は、熱融着性繊維であることが好ましい。
【００３１】
なお、マスク本体を構成する基材シートは、上記構成に限定されず、例えば肌対向面を形成するセルロース布帛と非肌対向面を形成する合成繊維布帛との間に、微粒子を吸着させるフィルター機能及び／又は芳香剤、抗菌剤を含む中間シートを介在させてもよい。
【００３２】
本実施形態において、マスク本体３は、横方向（Ｃ）に延びる上端縁３ａ及び下端縁３ｂを有する。また、マスク本体３は、横方向（Ｃ）における両側部のそれぞれに、縦方向（Ｌ）に沿って延在する側縁部３ｃを有する。本実施形態において、側縁部３ｃ、３ｃのそれぞれの、横方向（Ｃ）における長さは、１０ｍｍであるが、本開示における側縁部の横方向における長さは、５ｍｍ〜２０ｍｍ程度の範囲で適宜変更可能である。マスク本体３の側縁部３ｃ、３ｃのそれぞれには、後述するサイドシート１３が配設されている。また、マスク本体３の側縁部３ｃ、３ｃそれぞれは、後述の切欠き部１５が形成された切欠き部形成領域１７と当該切欠き部１５が形成されていない切欠き部非形成領域１９とに区画される。
【００３３】
本開示において、マスク本体の縦方向の寸法、すなわち上端縁と下端縁との長さは、着用前（未使用）の状態、すなわち非展開状態において、好ましくは６０ｍｍ〜１００ｍｍ程度であり、マスク本体の横方向の寸法は、１４０〜１８０ｍｍ程度である。マスク本体の縦方向及び横方向の寸法をこのように構成すると、大人の着用者の標準的な大きさの頬及び顎の部分を十分に被覆できる点で好ましい。
【００３４】
本実施形態において、マスク本体３は、着用時において、非肌対向面Ｓ２側に隆起するためのプリーツ構造Ｐを有する。
より具体的には、図３に示すように、マスク本体３を構成する基材シート７には、マスク本体３の上端縁３ａの近位側から、第１襞部２７ａと第２襞部２７ｂと第３襞部２７ｃとが形成されている。第１襞部２７ａ〜第３襞部２７ｃのそれぞれの構成乃至位置関係は、マスク本体３の着用前（未使用）の状態、すなわち非展開状態において以下の通りである。
【００３５】
第１襞部２７ａは、第１基部２１ａと；第１基部２１ａと第１頂部２３ａとの間の裾部Ｓ３と；第１頂部２３ａと；第１頂部２３ａと第２基部２１ｂとの間の裾部Ｓ４とを含む。第１襞部２７ａにおいて、第１頂部２３ａは、上端縁３ａよりも下端縁３ｂ側に位置する。また、第１襞部２７ａにおいて、裾部Ｓ３の縦方向（Ｌ）の長さは、裾部Ｓ４の縦方向（Ｌ）の長さよりも短い。
【００３６】
第２襞部２７ｂは、第２基部２１ｂと；第２基部２１ｂと第２頂部２３ｂとの間の裾部Ｓ５と；第２頂部２３ｂと；第２頂部２３ｂと第３基部２１ｃとの間の裾部Ｓ６とを含む。第２襞部２７ｂは、第１襞部２７ａよりも非肌対向面Ｓ２側に位置する。また、第２襞部２７ｂにおいて、第２頂部２３ｂは、第１襞部２７ａの第１頂部２３ａよりもさらに下端縁３ｂ側に位置し、第２基部２１ｂは、第１襞部２７ａの第１基部２１ａよりもさらに下端縁３ｂ側に位置する。また、第２襞部２７ｂにおいて、裾部Ｓ５の縦方向（Ｌ）の長さは、裾部Ｓ６の縦方向（Ｌ）の長さよりも短い。
【００３７】
第３襞部２７ｃは、第３基部２１ｃと；第３基部２１ｃと第３頂部２３ｃとの間の裾部Ｓ７と；第３頂部２３ｃと；第３頂部２３ｃと底部２５との間の裾部Ｓ８と；底部２５と；底部２５と第４基部２１ｄとの間の裾部Ｓ９と；第４基部２１ｄとを含む。第３襞部２７ｃは、第２襞部２７ｂよりも非肌対向面Ｓ２側に位置する。また、第３襞部２７ｃにおいて、第３頂部２３ｃは、第２襞部２７ｂの第２頂部２３ｂよりもさらに下端縁３ｂ側に位置し、第３基部２１ｃは、第２襞部２７ｂの第２基部２１ｂよりもさらに下端縁３ｂ側に位置する。また、第３襞部２７ｃにおいて、第４基部２１ｄは、第３基部２１ｃよりも下端縁３ｂ側に位置する。また、第３襞部２７ｃにおいて、底部２５は、マスク本体３の下端縁３ｂよりも上端縁３ａ側に位置すると共に、第４基部２１ｄよりも下端縁３ｂ側に位置する。また、第３襞部２７ｃにおいて、裾部Ｓ７の縦方向（Ｌ）の長さと裾部Ｓ９の縦方向（Ｌ）の長さとの和は、裾部Ｓ８の縦方向（Ｌ）の長さよりも短い。
【００３８】
さらに、マスク本体３は、上端縁３ａと第１基部２１ａとの間の基底部Ｓ１０、第４基部２１ｄと下端縁３ｂとの間の基底部Ｓ１１を含む。
このように、上記の第１襞部２７ａ〜第３襞部２７ｃ及び基底部Ｓ１０、基底部Ｓ１１により形成される蛇腹状の構造がマスク本体３のプリーツ構造Ｐである。
【００３９】
マスク本体３は、着用前（未使用）の状態において、基底部Ｓ１０と裾部Ｓ３との少なくとも一部、裾部Ｓ４と裾部Ｓ５との少なくとも一部、裾部Ｓ６と裾部Ｓ７との少なくとも一部、裾部Ｓ９と基底部Ｓ１１との少なくとも一部がそれぞれ重なって折り畳まれることにより、厚さ方向Ｔにおいて、扁平な構造を有する。
【００４０】
一方、マスク本体３は、マスク１の着用状態においては、図４に示すように、着用者の顎の長さに応じてマスク本体３の下端縁３ｂが縦方向（Ｌ）の下方に引き延ばされると共に、マスク本体３が非肌対向面Ｓ２側に隆起し、Ω形状に変形する。本実施形態においては、マスク１の着用状態において、裾部Ｓ８は最も隆起する面であり、着用者の鼻の先端又は口元に対応する位置に配置される。
【００４１】
なお、本開示におけるマスク本体のプリーツ構造は上記に限定されず、着用時において、マスク本体が非肌対向面側に隆起するように構成されている限り、その襞の数や襞の向き等の具体的な構成は適宜変更可能である。
【００４２】
［切欠き部］
図１及び図２に示すように、本実施形態において、マスク本体３は、両側縁部３ｃ、３ｃのそれぞれにおいて、縦方向中央軸線ＣＬよりも下方の位置に切欠き部１５を有している。切欠き部１５は、マスク本体３の横方向（Ｃ）の中央部に向かって凹となる形状、より具体的には、両側縁部３ｃ、３ｃのそれぞれから横方向（Ｃ）の内方へ向かって次第に幅狭となる略Ｖ字状を有している。マスク本体３は、切欠き部１５を有することにより、マスク１の使用時において、当該切欠き部１５が両側縁部３ｃ、３ｃそれぞれの変形誘導の起点となり易いので、前記両側縁部３ｃ、３ｃのそれぞれと着用者の顔面との密着性を高め、マスク本体３の顔面へのフィット性を高めることができる。
【００４３】
切欠き部１５は、マスク本体３の両側縁部３ｃ、３ｃのそれぞれにおいて、略Ｖ字状にセルロース布帛９が切断されると共に、合成繊維布帛１１が溶断されることにより形成される。
【００４４】
また、マスク本体３は、両側縁部３ｃ、３ｃのそれぞれにおいて、切欠き部１５が形成された、切欠き部形成領域１７と、切欠き部１５が形成されていない、切欠き部非形成領域１９とに区画されている。
【００４５】
なお、本開示における切欠き部は、上記構成に限定されず、単数又は複数の直状、曲状等の各種公知の形状であってもよい。また、本開示における切欠き部は、基材シートを切断することのみにより設けられていてもよいし、当該基材シートが複数のシートから構成される場合にあっては、当該基材シートを構成するシート同士を切断及び圧着することにより形成されていてもよい。
【００４６】
［サイドシート、エンボス部、折り返し部］
図１及び２に示すように、本実施形態において、マスク本体３は、両側縁部３ｃ、３ｃのそれぞれにおいて、両側縁部３ｃ、３ｃのそれぞれの肌対向面Ｓ１及び非肌対向面Ｓ２を覆うサイドシート１３を有する。サイドシート１３は、セルロース布帛９及び合成繊維布帛１１の２層構造からなるマスク本体３の基材シート７の両側縁部３ｃ、３ｃのそれぞれを挟んだ状態で配設されている。
なお、本開示におけるサイドシートは、上記構成に限定されず、マスク本体の、少なくとも両側縁部のそれぞれの切欠き部形成領域において、切欠き部を非肌対向面側及び肌対向面側から覆う布帛から構成されていればよい。
【００４７】
また、サイドシートを構成する布帛は、マスク本体を構成する合成繊維布帛と同様、例えば坪量１０〜４０ｇ／ｍ２のメルトブローン不織布スパンボンド不織布、ＳＭＳ不織布及びエアスルー不織布等の各種公知の合成繊維不織布シートのうち、通気性の良好な材料を適宜選択して形成することができる。なお、本開示におけるサイドシートを構成する布帛は、織物や編物からなるシート材料であってもよいが、サイドシートが着用者の顔面に刺激を与えにくい観点から、不織布からなるシート材料であることが好ましい。
【００４８】
本実施形態において、マスク本体３は、両側縁部３ｃ、３ｃのそれぞれにおいて、縦方向（Ｌ）に沿って延在するエンボス部２９を有する。より具体的には、エンボス部２９は、切欠き部非形成領域１９において、マスク本体３を構成する基材シート７、すなわち、セルロース布帛９及び合成繊維布帛１１と、サイドシート１３とを厚さ方向Ｔにエンボスすることにより形成されるものである。なお、本実施形態におけるエンボス部２９は、両側縁部３ｃ、３ｃのそれぞれにおいて２列ずつ配置されているが、本開示においては、この構成に限定されず、１列又は３列以上から形成されていてもよい。
【００４９】
また、本実施形態において、マスク本体３は、両側縁部３ｃ、３ｃのそれぞれの切欠き部形成領域１７においては、エンボス部２９を有しない。
【００５０】
本実施形態において、両側縁部３ｃ、３ｃのそれぞれの切欠き部形成領域１７の剛性は、両側縁部３ｃ、３ｃのそれぞれの切欠き部非形成領域１９の剛性よりも低い。
なお、両側縁部における切欠き部形成領域及び切欠き部非形成領域のそれぞれの剛性値は、特に制限されないが、剛性値は、曲げ剛性試験、すなわち、測定対象のシート材から所定サイズ（例えば、１００ｍｍ×１０ｍｍ）の試験片を切り出した後、該試験片の各種方向（すなわち、測定対象部材の縦方向に対応する方向）における切欠き部形成領域又は切欠き部非形成領域に対応する位置における曲げ剛性を、純曲げ試験機  ＫＥＳ  ＦＢ-２（カトーテック株式会社製）を用いて測定することにより、得ることができる。
【００５１】
図３に示すように、本実施形態において、基材シート７を構成する合成繊維布帛１１は、マスク本体３の横方向（Ｃ）に延びる下端縁３ｂにおいて肌対向面Ｓ１側に折り返された第１折り返し部３１を有し、当該第１折り返し部３１が、セルロース布帛９を覆うように構成されている。さらに、セルロース布帛９は、下端縁３ｂにおいて肌対向面Ｓ１側に折り返された第２折り返し部３３を有する。
また、合成繊維布帛１１の第１折り返し部３１の縦方向（Ｌ）の長さＬ１は、セルロース布帛９の第２折り返し部３３の縦方向（Ｌ）の長さＬ２よりも長くなるように構成されている。
【００５２】
また、合成繊維布帛１１の第１折り返し部３１と、セルロース布帛９の第２折り返し部３３とはいずれもマスク本体３の下端縁３ｂ近傍においてエンボス部３５により固定されている。
なお、本開示における合成繊維布帛の第１折り返し部とセルロース布帛の第２折り返し部とは、ＨＭＡ等の接着剤で固定されていてもよい。
【００５３】
本実施形態において、図２に示すように、マスク本体３はさらに、縦方向（Ｌ）の中央部において、横方向（Ｃ）延在する補助エンボス部３７を有する。より具体的には、補助エンボス部３７は、第２襞部２７ｂにおける裾部Ｓ６における、マスク１の着用前（未使用）の状態において裾部Ｓ５と重なり合っていない部分において、マスク本体３を構成する基材シート７、すなわち、セルロース布帛９及び合成繊維布帛１１をエンボスすることにより形成されている。
【００５４】
［鼻カバー部］
図２及び図３に示すように、本実施形態において、マスク本体３は、セルロース布帛９よりもさらに肌対向面Ｓ１側において、上端縁３ａから縦方向（Ｌ）に延在する鼻カバー部３９を有する。鼻カバー部３９の縦方向（Ｌ）における長さをＬ３とすると、Ｌ３は、マスク１の着用前（未使用）の状態におけるマスク本体３の縦方向（Ｌ）の長さの３０％程度である。
【００５５】
鼻カバー部３９は、合成繊維布帛から構成されており、着用者がマスク１を着用した際に、着用者の鼻に当接するように構成されている。
本開示における鼻カバー部を構成する合成繊維布帛は、マスク本体を構成する合成繊維布帛と同様、例えば坪量１０〜４０ｇ／ｍ２のメルトブローン不織布スパンボンド不織布、ＳＭＳ不織布及びエアスルー不織布等の各種公知の合成繊維不織布シートのうち、通気性の良好な材料を適宜選択して形成することができる。
【００５６】
なお、本開示における鼻カバーの縦方向における長さは、上記に限定されないが、セルロース布帛が着用者の顔面に触れることをより抑制し易く、着用者の顔面における違和感をより確実に抑制し易くする観点から、少なくともマスク本体のプリーツ構造における第１基部を越えて延在することが望ましい。
【００５７】
［保持部材］
図１〜図４に示すように、本実施形態において、マスク本体３は、上端縁３ａ側に設けられ、上端縁３ａの一部を所定の形状で保持する保持部材４１を有する。保持部材４１は、合成繊維布帛１１とセルロース布帛９との間に配設され、周囲に配置されたエンボス部４３によりその位置がずれないように固定されている。
【００５８】
本開示における保持部材は、薄板矩形形状を有し、可撓性の熱可塑性樹脂（例えばプラスチック）などで形成されていることが好ましい。保持部材４１は、着用者が容易に曲げることができると共に、一旦所定形状に変形すると、再び外力がかからない限りその所定形状を保持するようになっている。このため、着用者がマスク１を着用した後に保持部材４１を鼻の形状に合わせて変形させると、保持部材４１は、マスク本体３の上端縁３ａの近傍を着用者の鼻の形状に合った状態で保持できる。これにより、保持部材４１は、上端縁３ａと着用者の顔面との間に隙間が生じることを抑制できる。
【００５９】
［耳掛け部］
耳掛け部は、好ましくは弾性的に伸縮可能なものであって、不織布や織布、プラスチックフィルム、ゴム紐等の公知の材料によって形成できる。
【００６０】
続いて、本実施形態に係るマスク１の作用を説明する。
本実施形態のマスク１は、前記プリーツ構造Ｐ及び両側縁部３ｃ、３ｃのそれぞれにおいて、縦方向（Ｌ）に沿って延在するエンボス部２９により、使用時において、マスク本体３の立体構造の保形性を維持し易い。また、マスク本体３が切欠き部１５を両側縁部３ｃ、３ｃのそれぞれにおいて備えることにより、切欠き部１５が変形誘導の起点となるので、使用時において、マスク本体３の顔面へのフィット性を高め易い。
【００６１】
また、本実施形態のマスク１は、マスク本体３が、両側縁部３ｃ、３ｃのそれぞれの切欠き部形成領域１７において、切欠き部１５を非肌対向面Ｓ２側及び肌対向面Ｓ１側から覆う布帛からなるサイドシート１３を備えるので、切欠き部１５が着用者の顔面に直接触れることを抑制し易いと共に、切欠き部形成領域１７の剛性が、切欠き部非形成領域１９の剛性よりも低く構成されているので、切欠き部形成領域１７が着用者の顔面に触れても、着用者の顔面における違和感を抑制し易い。
したがって、本実施形態のマスク１は、使用時において、マスク本体３の顔面へのフィット性を高めつつ、着用者の顔面における違和感を抑制し易い。
【００６２】
また、マスク本体３は、肌対向面Ｓ１を形成するセルロース布帛９を有することによりマスクの吸湿性を高めつつ、非肌対向面Ｓ２を形成する合成繊維布帛１１とセルロース布帛９との２層構造をなしているので、マスク１の強度を確保し易い。したがって、本実施形態に係るマスク１は、マスク本体３の立体構造の保形性を維持し易く、マスク本体３の顔面へのフィット性をより確実に確保し易い。
【００６３】
また、マスク本体３を構成するセルロース布帛９は、織物であるので、吸湿性を維持しつつ蒸れにくい。さらに、マスク本体３が、両側縁部３ｃ、３ｃのそれぞれにおける切欠き部１５において、合成繊維布帛１１が溶断されているので、当該溶断部分において合成繊維布帛１１とセルロース布帛９とが溶着し、両布帛の位置ずれを抑制し易いと共にマスク１の強度をより確実に確保し易く、マスク本体３の立体構造の保形性を維持し易い。したがって、本実施形態に係るマスク１は、マスク本体３の顔面へのフィット性をより確実に確保し易い。
【００６４】
また、切欠き部形成領域１７が着用者の顔面に触れても、当該部分がエンボス部３５を有しないので、本実施形態に係るマスク１は、着用者の顔面に刺激を与えにくく、着用者の顔面における違和感を抑制し易い。
【００６５】
また、補助エンボス部３７によりマスク本体３の強度を確保することができるので、マスク本体３の立体構造の保形性をより一層維持し易いので、本実施形態に係るマスク１は、マスク本体３の顔面へのフィット性をより確実に確保し易い。
【００６６】
また、第１折り返し部３１により、下端縁３ｂ近傍において、セルロース布帛９が合成繊維布帛１１に覆われているので、上記下端縁３ｂ近傍において、セルロース布帛９が着用者の顔面に直接接触し難く、本実施形態に係るマスク１は、着用者の顔面における違和感を抑制し易い。
【００６７】
また、第２折り返し部３３により、下端縁３ｂ近傍における剛性が増すのでマスク本体３の立体構造の保形性が高まり、本実施形態に係るマスク１は、マスク本体３の顔面へのフィット性をより確実に確保し易い。
【００６８】
なお、本開示に係るマスクは、上述の実施形態や例示的記載に制限されることなく、本開示の目的、趣旨を逸脱しない範囲内において、適宜組み合わせや変更等が可能である。
また、本開示において、「第１」、「第２」等の序数は、当該序数が付された事項を区別するためのものであり、各事項の順序や優先度、重要度等を意味するものではない。
【符号の説明】
【００６９】
１    マスク
３    マスク本体
３ａ    上端縁
３ｂ    下端縁
３ｃ    側縁部
５    耳掛け部
７    基材シート
９    セルロース布帛
１１    合成繊維布帛
１３    サイドシート
１５    切欠き部
１７    切欠き部形成領域
１９    切欠き部非形成領域
２１ａ    第１基部
２１ｂ    第２基部
２１ｃ    第３基部
２１ｄ    第４基部
２３ａ    第１頂部
２３ｂ    第２頂部
２３ｃ    第３頂部
２５    底部
２７ａ    第１襞部
２７ｂ    第２襞部
２７ｃ    第３襞部
２９    エンボス部
３１    第１折り返し部
３３    第２折り返し部
３５    エンボス部
３７    補助エンボス部
３９    鼻カバー部
４１    保持部材
４３    エンボス部
Ｓ１    肌対向面
Ｓ２    非肌対向面
Ｓ３〜Ｓ９    裾部
Ｐ    プリーツ構造
Ｌ１    第１折り返し部３１の縦方向（Ｌ）の長さ
Ｌ２    第２折り返し部３３の縦方向（Ｌ）の長さ
Ｌ３    鼻カバー部３９の縦方向（Ｌ）における長さ
【図１】
0003212966.tif 000003
【図２】
0003212966.tif 000004
【図３】
0003212966.tif 000005
【図４】
0003212966.tif 000006